(57)【要約】      （修正有）【課題】加工部片の寸法測定を容易にかつ小作業域で、できるようにする。【解決手段】測定する部片を主軸台５７と心押し台６０との間に維持するため、固定された主軸台５７と、固定された主軸台に対向し、主軸台５７に近付くか、離れて移動するために線形軸に沿って移動可能である、移動可能な心押し台６０とが取り付けられた基準支持４０と、測定下の部片によって遮られるコリメート光のビームをｘ軸にわたって誘導するための光源１１０を担持し、さらに、光源１１０と整列し、測定下の部片によって遮られなかったコリメート光のビームの残留光を受けるように配置されている、光学検出器１２０を担持している、線形軸に沿って移動可能な可動往復台１００とを有す。【選択図】図１ａ
2011232336.tif 000002
【特許請求の範囲】
【請求項１】
固定された主軸台と、固定された主軸台に対向し、ｘ軸の方向に移動可能な心押し台との間に測定する部片を取り付け可能である、基準支持と、
前記測定下の部片によって遮られる光のビームを前記ｘ軸にわたって誘導するための光源を担持し、さらに、前記光源と整列し、前記測定下の部片によって遮られなかった前記光のビームの残留光を受けるように配置されている、光学検出器を担持している、前記測定する部片に対して線形軸（ｘ）に沿って移動可能な光学往復台とを含み、
自動測定機能を具現化するように処理ユニットがプログラムされ、それにより、測定装置が駆動され、前記測定する部片のプロファイルを端部から端部まで自動的に走査し、すべての前記部片の横断寸法および長手寸法を自動的に算出することを特徴とする、
光学測定装置。
【請求項２】
光のビームで走査する表面を選択的に曝すため、測定下の部片を回転させるように主軸台がモータによって回転駆動され、かつ、前記モータを駆動し、前記部片の複数の角度向きについて、横断寸法および長手寸法を自動的に算出するように処理ユニットがプログラムされている、請求項１記載の光学測定装置。
【請求項３】
測定下の部片の事前走査を実施し、記憶されたプログラムのメモリを検索して、前記事前走査で得られたプロファイルが前記プログラムの一つに対応するか否かを決定するように処理ユニットが配置されている、請求項１または２記載の光学測定装置。
【請求項４】
事前走査で得られたプロファイルから、測定する部片のフィーチャを推測するように処理ユニットが配置されている、請求項３記載の光学測定装置。
【請求項５】
自動測定機能において、測定下の部片の予備走査を実施し、および／または測定下の部片が逆転した向きで挿入されているか否かを検出するように処理ユニットがプログラムされている、請求項１から４のいずれか一項記載の光学測定装置。
【請求項６】
光のビームが複数の強度レベルに設定可能な単色光のコリメート線からなる、請求項１から５のいずれか一項記載の光学測定装置。
【請求項７】
加工部片のプロファイルを走査する方法であって、：
固定された主軸台と、固定された主軸台に対向する移動可能な心押し台との間に加工部片を位置付け、前記主軸台と前記心押し台との間にｘ軸の方向に部片を維持する工程と、
前記加工部片の事前走査を実施し、事前走査プロファイルを得る工程と、
記憶されたプログラムのメモリを検索し、事前走査プロファイルが前記記憶されたプログラムの一つに対応するか否かを決定するか、事前走査プロファイルから、測定する部片のフィーチャを推測する工程と、
前記プログラムで指定されているか、前記推測から得られた寸法を測定し、表示する工程と
を含む、方法。
【請求項８】
さらなる使用のため、プログラムが測定結果をコンピュータメモリに記憶する能力がある、請求項７記載の方法。
【発明の詳細な説明】
【技術分野】
【０００１】
本発明は、広範囲の部品、特に、非限定的に、例えば、旋盤で機械加工された加工部片、または回転軸あるいは凸状形態を持つ部片を有する小さい加工部片の寸法測定のための光学測定装置に関する。
【０００２】
関連技術の説明
【０００３】
当技術分野では、光のビームの投影によって得られた加工部片の影を測定することにより、寸法測定を得ることが公知である。この手法は、多くの状況で有効であるとしても、特に、回転軸を呈し、かつ、凸状形態を呈する部片の測定によく向いており；この場合、影の投影によって得られた一つ以上のプロファイルから、すべての寸法を得ることができる。
【０００４】
光学プロファイル測定は、高速かつ効率的であり、物理的な接触を伴わず、工具またはプローブの大きい取り揃えを要することなく、多くの異なるプロファイルおよび形状に適応できることから、困難な環境で生産管理または測定のために加工部片を測定するための魅力的な手法である。プロファイル測定機械は、多くの場合、二つの対向する中心または心棒を担持した典型的な主軸台および心押し台を備え、したがって、特殊な治具または固定具なしに、旋盤で機械加工された部片の大半に対処することができる。
【０００５】
EP0507566は、加工部片の投影された影を測定するため、二つの中心間に加工部片を維持し、光源および受光検出器を有する光学測定システムに対し、相対的に部片を並進させるための部片保持部を包含する、測定装置を開示している。
【０００６】
米国特許第４８５４７０７号は、加工部片が二つの中心間に保持され、摺動する光学ステージが部片の影のプロファイルを測定する、プロファイル測定機器を記載している。
【０００７】
しかし、これらの測定機器は、一連の制約を呈する。多くの場合、それらは、相対的に重い機械であり、恒久的に固定された据え付けを要し、大きい床面積を占め、小および中規模の作業場にほとんど好適ではない。これらの機械は、校正状態での使用および維持も複雑であり、そのため、手軽な使用に向かない。
【０００８】
当技術分野において公知のプロファイル測定機械の多くは、清浄な研究室条件で高精度の測定をもたらすが、汚染、塵埃、エアロゾル、振動および温度変動に曝される作業環境では、その性能が急激に低下する。
【０００９】
そのため、公知の機器よりもコンパクトに実現することができる、加工部片のプロファイルを光学的に測定するための機械が要望されている。また、環境の影響をより受けにくく、とりわけ、汚染、塵埃およびエアロゾルの影響をより受けにくい、プロファイル測定機械が要望されている。当技術分野において公知の機器よりも使用および維持が容易である、プロファイル測定機械も要望されている。
【００１０】
これらの目標の一部またはすべてを満たすプロファイル測定機械は、有利なことには、清浄区域内に計量設備のための空間または資源を有さない、多くの小または中規模の作業場で採用することができる。本発明の目標は、そのような機械を提案することである。
【００１１】
発明の簡単な概要
【００１２】
本発明によると、これらの目的は、請求項１の前段部のフィーチャを包含し、光学ステージおよび心押し台が摺動可能に係合されている、基準支持上に締結されている、直線ガイドが測定機器の並進において一つのみの移動の自由を画定するのに対し、基準表面上に締結され、前記直線ガイド上に少なくとも部分が懸架し、測定下の部片の回転において第二の移動の自由を画定する、主軸台担持部上に主軸台が設置されていることを特徴とする、機器の手段により達成される。
【図面の簡単な説明】
【００１３】
【図１ａ】本発明の態様によるプロファイル測定機械またはその部分をいくつかの図で示す。
【図１ｂ】本発明の態様によるプロファイル測定機械またはその部分をいくつかの図で示す。図１ｂは、一部分が展開されている。
【図１ｃ】本発明の態様によるプロファイル測定機械またはその部分をいくつかの図で示す。
【図２】本発明の方法で使用されているプロファイル測定装置内に部片を保持するため、使用されている心押し台を図示する。
【図３】光源および光学検出器の代替配置を持つ、図２の装置を概略的に示す。
【図４】装置の好ましい変形態様による発光ビームのプロファイルを概略的に示す。
【図５】本発明の態様による測定方法を概略的に図示する。
【図６】発明的な方法のステップの実行時における表示の出力を概略的に示す。
【図７】光学測定のもう一つのステップ時における表示ユニットの出力を概略的に示す。
【００１４】
発明の可能な実施形態の詳細な説明
【００１５】
本発明は、例として与えられ、図によって図示される実施形態の説明を用いて、より良好に理解される：
図１ａ〜１ｃに表すプロファイル測定機械は、脚部３２により、好適な表面上に載置されているケーシング３０を包含する。以下により明らかに見てとれるように、ケーシングは、測定機械のすべての要素、とりわけ、すべての光学要素および位置エンコーダを収容および保護する。本発明の機器は、事情により、ベンチトップまたは床ユニットとして実現することができる。
【００１６】
本発明の機械は、さらに、すべての精密要素に安定した基礎を提供する、基準支持４０を包含する。基準支持４０は、好ましくは、細長い平板の形状を有し、理想平面に非常に近付けて修正された基準面４１を呈する。基準支持は、通例、花崗岩または同様に硬質かつ安定した石材で実現されるが、異なる材料、例として、鋼材から作ることもできる。
【００１７】
基準面４１は、直線ガイド４７、この場合、基準面４１上に締結されている、直線状の平行に形成された二つの鋼材レールを担持し、プロファイル測定機械の移動要素に摺動支持を提供する。ガイドの数は、二つに制限されないが、要望により、変動することができる。ガイド４７は、理想的には、測定される部片の軸にも平行である、直線の測定主軸ｘを画定する。
【００１８】
主軸台保持部５０も支持４０の基準面４１上に締結されている。好ましくは、主軸台保持部５０は、要望されるだけ多くの場合にその再整列を許容する方式で締結されている。好ましい変形形態では、主軸台保持部は、基準支持４０上にねじ留めされ、その位置は、様々な厚さのシムを介在させることにより、細かく設定されている。しかし、これが唯一の可能性ではない。
【００１９】
主軸台保持部は、好ましくは、図１ａ〜１ｃのようにＬ字形状であるか、主軸ｘの方向に少なくとも部分的にガイド４７に重なる形状を有する。後に解説するように、この配設は、少なくとも一つの摺動要素が主軸台５２の平面を横切ることを許容する。
【００２０】
主軸台５２は、主軸台保持部５０の張り出した端部上に取り付けられ、本発明のこの変形形態では、旋盤加工された部片の端部側に係合することを意図されている、中心点５５を含む。好ましくは、中心点５５は、モータ５８、好ましくは、ＤＣＣモータによって駆動され、好適なエンコーダ（表さず）によって位置が調節および記録される、旋回板５７上に取り付けられている。旋回板５７は、加工部片を回転させ、特定の向きでプロファイルを測定することを許容する。
【００２１】
図２により詳細に視認される心押し台６０は、好ましくは、ｘ軸に沿った平行移動のみを許す、平衡取り付けにより、レール４７上に摺動可能に取り付けられている。これは、三つの摺動パッドによって達成することができる。好ましくは、心押し台６０の整列は、パッド間で調整可能であり、心押し台の中心をｘ軸に精密に整列させることができる。
【００２２】
心押し台は、レバー６１の位置により、中央レール４３（図１ａに視認される）上で係止する挟持部６２または支持４０上の同等の要素に作用する、解放レバー６１を包含する。心押し台は、好ましくは、旋盤加工された部片の端部側を係合させるため、主軸台５０上にある中心点５５に対向して、円錐形の中心点６５を担持している。
【００２３】
好ましい変形形態によると、挟持部６２またはもう一つの好適な係止要素は、心押し台６０に摺動可能に取り付けられ、心押し台内の弾性要素（視認されず）が挟持部を後方に付勢する。オペレータは、測定する第一の部片を設置するとき、測定下の部片の方向にハンドル６４を付勢し、レバー６１を閉位置に設定して、挟持部６２を中央レール４３上で係止させる。心押し台は、弾性的に前方に（換言すれば、主軸台５０に向かって）拘束される。オペレータは、挟持部６２を解放することなく、ハンドル６４に作用することにより、心押し台６０を後方に移動させ、測定下の部片を取り除いてもう一つと交換し、その後、ハンドル６４を解放することができ、それにより、心押し台６０が以前に設定された位置に弾性的に復帰する。この方式では、心押し台の位置を毎回変更する必要なしに、一連の同一の部片を測定することが可能である。
【００２４】
ここでもまた図１ａ〜１ｃを参照すると、心押し台６０が取り付けられている同じ直線レール４７は、好ましくは、例として、三つ以上の摺動パッドを手段として、ｘ軸に沿った平行移動のみを許す、平衡取り付け上にも配置されている、往復台１００をガイドするためにも使用される。往復台１００は、ガイド４７上に横向きに、かつ、好ましくは、一部の汚染および塵埃が直接光学品上に落下することを回避し、測定下の部片の自重変形を最小化するため、垂直から小さく傾斜して取り付けられている。往復台は、上部側の光源１１０および底部側の光学検出器１２０を包含する。電気モータ１３０、好ましくは、エンコーダで調節されているＤＣＣモータは、ベルト１３１を通じ、滑車１３２によるか、任意の他の好適な方式において、ｘ軸に沿って往復台１００を駆動する。支持４０の基準表面４１上に固定されたルール１５０を包含する、高精度エンコーダ、例として、光学エンコーダにより、光学往復台１００の位置を測定する。
【００２５】
光源１１０は、測定下の部片で遮られることになる、コリメート光のビームをｘ軸にわたって誘導するための部品を包含する。好ましくは、光のビームは、拡散光を減少させるため、狭い帯状にコリメートされ、色収差を抑制するために単色である。コリメートは、例として、スリット１７０によって得ることができる。光学検出器１２０は、光学源１１０と整列し、測定下の部片によって遮られなかった残留ビーム光を受け、例として、一つ以上のＣＣＤ線形アレイを含む、受光検出器のアレイにそれを誘導するように配置され、それにより、ｘ軸上の往復台１００の各位置で部片の横断寸法を決定することができる。
【００２６】
有利なことには、発光源１１０の強度を様々な所定レベルに設定することができ、測定下の部片を異なる照度レベルで反復的に調査する。これは、光学品の公知の原理を適用し、回折、反射およびぼやけを包含する、様々な誤差源をモデル化および補正するために有効である。
【００２７】
図３に概略的に表す本発明の変形態様では、往復台１００は、ミラー、例として、４５のみを支持する一方、光源１１０および検出器１２０は、固定された支持４０上に固定されている。コリメート光ビームは、部片のｘ軸に平行に誘導され、少なくとも第一のミラーにより、測定する部片に対して横断方向に再誘導され、その後、少なくとももう一つのミラーが光ビームの残りを光検出器に再誘導する。この変形態様では、往復台が非常に軽量であり、可動性がより良好かつ高速であり、時間正確度が向上する。図３は、往復台１００の向かい側に検出器１２０および源１１０を有する構造を表すが、ミラー１０７のいずれかを９０°まで転回させることにより、往復台１００の同じ側に両方を有することも可能であろう。
【００２８】
好ましい実施形態では、光ビームは、部片の中央軸を中心として９０°〜２７０°の変位軸の方向に開口している、Ｖ字形状の光ビームであり、受光検出器は、部片の中央軸の両方の側に設置され、光ビームの二つの各部分を受ける、角度を付けたＣＣＤ線形アレイの対称対から構成されている。受光検出器は、両方の側における同じ正確度および共通の中央点で測定するように配置されている。角度を付けたＣＣＤ配設は、高い解像度の縁端測定を許容する。アレイからの出力を分析し、一つのピクセルよりも良好に補間する。これを、光学軸Ｏに直交する平面におけるＣＣＤアレイ６４の配設および光ビーム６２の横断断面を示す、図４に概略的に図示する。図４では、開き角度６６は、通常の値である１６５°または１７０°である。
【００２９】
変形形態では、光ビームを測定下の部片の各側縁端に一つとして、二つの光ビームに分割することができ、その後、二つの分割された各ビーム部分を共通のＣＣＤアレイに再誘導する。この変形形態では、シャッターを使用して分割ビームを交互に遮断し、一つの共通の光検出器を使用して、部片の両方の側を測定する。この解決法では、一つの単一のＣＣＤアレイを使用し、順次、部片の両方の側を読み取ることから、速度の減少を代償として、一つのＣＣＤ検出器を割愛することが許容される。
【００３０】
本発明のプロファイル測定機械は、ｘ軸に沿って往復台１００を駆動し、光学検出器１２０から一連の測定を収集し、測定下の部片のプロファイルを再構築するためのプログラム可能処理ユニット２００を含む。
【００３１】
光学源１１０内で光をコリメートし、光学検出器１２０内で残留光を測定するために使用される光学機器の詳細は、引用例として本明細書に取り込まれる、特許EP0507566に見出すことができ、さらには詳述しない。とりわけ、本発明では、光学品を最小限に減少させ、光学収差を回避し、調整を簡略化する。
【００３２】
好ましくは、本発明の機械は、心押し台６０および主軸台に対する相対的な往復台１００の位置を検出し、衝突を回避するための位置センサを包含し、例として、往復台が心押し台に近付くと、処理ユニットがその動きを減速させることができる。処理ユニットは、好ましくは、測定下の部片の長さに関わらず、可能な限り高速に走査を駆動するため、特定の位置信号により、多工程で往復台の駆動を停止するようにプログラムされている。
【００３３】
機械は、結果を算出するためのプログラム可能処理ユニット２００、記憶ユニット、結果を示すための画面、結果を印刷し、仕分け機械の作動を許すための出力を包含する。
【００３４】
本発明の変形形態では、機械をより複雑な生産チェーンに統合することができ、操作をロボットで行うことができ、この場合、電磁石システムが心押し台内部のばねを圧縮し、結果として、心押し台６０を主軸台５０から後方に移動させ、部片を解放することにより、測定する部片の装填および解放を作動させることができる。
【００３５】
本発明の一つの実施形態によると、プログラム可能処理ユニット２００は、「ワンクリック」測定とも呼ばれる、自動測定機能を実現するためのソフトウェアプログラムを包含する。好ましくは、例として、機械上に存在する特別に標示された「自動測定」ボタンに対する単純な手動行為か、測定下の部片を位置付けた後に与えられる遅延機能か、スイッチか、ペダルか、先行的なプログラミングなしに、加工部片の測定準備が整ったことを機械に通知する、同様に標示されたグラフィカルユーザインタフェースの要素か、ソフトウェアで生成された始動条件かにより、ソフトウェアを作動させることができる。好ましい変形形態では、「自動測定」ボタンは、測定シーケンスの大半またはすべてを起動するために使用される多機能ボタンであり、「開始」と表記され、測定機械の筐体の目立つ位置に設置され、例として、図１ｂに視認されるボタン３００である。自動測定機能がアクティブであるとき、機械は、中心５５および６５間に挿入された部片のプロファイルを自動的に端部から端部まで走査し、直径ｄ１、ｄ２、．．．などの横断寸法、プロファイル内で識別された断面の長手寸法ｘ１、ｘ２、．．．および測定の瞬間における部片の特定の向きθ１、θ２を自動的に算出する。開始の向きは、機械への部片の設置において与えられる。場合により、プログラムは、要望されるだけ多くの回にわたって部片を回転させ、毎回、既定の各向きで測定を反復することができる。
【００３６】
その後、測定された各寸法をその特定の位置およびその特定の向きに関連付け、測定下の部片の３次元表現を構築することができる。２次元表現では、投影のみが要望され、向きは使用されない。
【００３７】
図５は、本発明の態様によるソフトウェアプログラムのフローチャートを示す。ソフトウェアは、特殊なワンクリックモード（枠３０５）と、好ましくは、測定プログラムを作成するために使用されるコンポーザモード（枠３１５）および／または事前に記録された測定プログラムを試験もしくは反復するために使用されるリプレーモード（枠３３３）など、他のモードとを包含する。
【００３８】
初期化後、ソフトウェアは、ワンクリックモードにある（枠３０５）。「開始」ボタンが押されると（矢印３０８）、ソフトウェアは、存在することができる加工部片のプロファイルを取得し、例として、加工部片の縁端、角度または直線状断面など、各対象領域を測定するための最良のパラメータおよび走査速度を決定するため、中心５５および６５間を含む全距離に沿って往復台１００を駆動する、事前走査プロセス３１０を開始する。
【００３９】
好ましくは、プログラム可能処理ユニットは、事前走査の結果が既に公知であり、プログラムがメモリに記憶されている、加工部片のプロファイルに対応していれば、そのメモリを検索するように配置されている（試験３１２）。試験が合格であれば、見出されたプログラムが実行され、結果が表示ユニット上で再現される（枠３２０）。好ましくは、自動走査プログラムは、部片が測定機械に逆向きに挿入されたか否かを検出するための試験を包含する。この場合、処理ユニットは、オペレータに警告し、特に、すべての長さが正確であることが要望されるときに、より良好な正確度の結果のため、部片を正しい向きに転回させるようにオペレータを促すか、例として、直径のみが要望されるときに、これが容認されれば、処理ユニットは、プログラムシーケンスを逆にし、部片を逆向きに測定する。
【００４０】
変形形態では、機械は、逆戻りした加工部片を事前走査において検出すると、走査方向を逆転させる能力がある。
【００４１】
試験３１２が合格でなければ、処理ユニットは、加工部片の重要なフィーチャを推測し、例として、すべての直線状断面およびすべての横方向ステップを同定し、プロファイル内で識別された断面の直径ｄ１、ｄ２、．．．および直線状断面の長さＬ１、Ｌ２、．．．を算出および表示する。適切であれば、プログラムは、走査パラメータ（速度、光強度、取得率等）を事前走査の結果に適応させ、加工部片を再走査する。
【００４２】
光学品の横方向速度変位を計算し、可能な限り精密に測定された寸法変動を生じさせる。寸法の大きい変動においては、光学検出器のサンプリング制限に達することができ、この場合、横方向速度を減少させ、小さい変位領域内でより多くの点をサンプリングする。好ましくは、走査速度を寸法変動勾配に適応的に合致させる。
【００４３】
測定３０４の後、オペレータからの他の行為を要することなく、結果を画面上に表示するか、印刷することができる。オペレータの行為を最小化するため、プロセスは、全体的に自動化されている。測定が終了すると、オペレータは、測定下の部片を置き換え、例として、開始ボタンに作用し、次の走査を実施することができる。
【００４４】
図６は、ワンクリック測定３０４の完了における本発明の測定方法の可能な出力を示す。表示の上部分４１０は、推測されたすべての直径および長さ（Ｄ０１、Ｄ０２、．．．；Ｌ０１、Ｌ０２、．．．）が参考として表されている、加工部片のプロファイルのグラフィカル表現４１５を包含する。表示の下部分４２０は、測定を表形式で呈する。しかし、他の形式が可能である。
【００４５】
本発明のもう一つの変形形態では、自動測定において、要望される横方向速度を評価することができ、その後、対象領域内で光ビームの強度を変化させ、一部の特定領域のぼやけ現象および回折を減少させることができる。
【００４６】
本発明のもう一つの変形形態では、自動測定は、本発明者らが加工部片のパラメータおよび対象領域を決定するための予備走査（事前走査）と、事前走査の結果により、異なる特殊な走査条件での部片の一つ以上の詳細な走査とを見出すことができる、連続的な動作の逐次プログラムであることができる。この変形態様では、最初に事前走査を作り、基準を作成する。異なる対象領域における後続の動作として、詳細な走査を行うことができる。例として、部片の断面の丸みを試験するため、往復台１００を領域に対応して設置し、部片を段階的または継続的に回転させる一方、様々な角度で横断寸法を測定する。この変形形態では、部片を所定の角度で時計回りまたは反時計回りに反復的に回転させ、加工部片の異なる向きで一つよりも多くの走査を行うことができる。この変形形態では、回転において分析した領域を一部の他と比較し、例として、共通の平行性および／または円筒もしくは同心拘束を分析し、その後、３次元スキャナなどの結果を描画することができる。
【００４７】
もう一つの発明的な形態によると、自動測定モードは、さらなる使用または精緻化のため、ステップ３０４で推測されたフィーチャに対応する測定および分析動作シーケンスをコンピュータメモリに記憶する能力があるように配置されている。好ましくは、さらなる使用および文書化のため、自動測定モードは、測定された寸法をコンピュータメモリに記録するようにも配置されている。
【００４８】
もう一つの変形形態によると、自動測定モードをカスタマイズし、走査するフィーチャ、例として、角度、丸みまたは任意の他の測定可能な寸法を選択して、幾何学関数および統計分析を算出することができる。
【００４９】
プログラムを使用して加工部片のサンプリングを分析し、測定されたフィーチャから、分析的な報告を作成するか、幾何学関数を算出することができる。プログラムを使用し、例として、１０個の部片のサンプリングとして部片の生産を分析することができる。各測定結果を個別または同じファイルにまとめて記憶し、分析的な用途のために取り出し、分析の用途のためのさらなる動作を許すことができる。例として、既定数の部片について、このサンプリングの測定段階から報告まで、自動化された動作を一つの端部から他まで行うことができる。本発明のもう一つの効果は、走査プロセスの簡略化により、分析のタスクを走査プロセスのタスクから分離させる可能性である。事前走査プロファイルは、部片の不完全な画像であり、記憶された情報と合致するには、公知の走査プロファイルの主な寸法と合致することが求められる。サイズの変動が大きい領域の場合、事前走査と記憶されたプロファイルとの間に多量の差異が見出されるリスクが非常に重大である。この場合、プログラムは、寸法を簡略化し、大きい領域内に認められた反復可能な寸法のみを残し、加工部片の小さいマスク画像を作成する。さらに、簡略化されたマスク画像を記憶されたプロファイルと比較し、対応する格納されたプログラムシーケンスがあれば見出すことができる。
【００５０】
ここで図５に戻ると、ソフトウェアは、好ましくは、具体的な加工部片のために特定のプログラムを作成および／または変更するように配置されている、コンポーザモード（枠３１５）を包含する。コンポーザモードは、好ましくは、パスワードで保護され（枠３１６）、特定の「編集」ボタンまたはアイコンに作用することにより（矢印３１８）、作動する。枠３２０は、測定する寸法、それらの公称値および許容可能誤差を画定するように配置されたソフトウェア資源に対応し、枠３２２を使用してプログラムを試験する。
【００５１】
コンポーザモードから「開始」ボタンを押すと（矢印３５０）、プログラムが保存され、リプレーモードに入る（枠３３３）。リプレーモードは、ワンクリックモードから特定のリプレーボタンまたはアイコンに作用して作動させることもできる（矢印３５２）。リプレーモードでは、「開始」ボタンが押される毎に、ロードされたプログラムが実行される（矢印３６１および枠３６０）。
【００５２】
保存され、ロードされたプログラムは、ワンクリックモードの可能性を超えることができる、特定の命令および測定を包含することができる。とりわけ、保存されたプログラムは、角度、偏心率、心ずれおよび丸みの瑕疵の測定を包含することができ、好ましくは、それらの事前設定された公称値および許容可能誤差に照らした測定寸法の確認を包含し、適合またはその欠如の指示を表示することができる。
【００５３】
図７は、リプレーモードで実行されたプログラムの可能な出力の例である。表示の上部分４１０は、プログラム内で指定されたすべての測定で測定されたプロファイルをグラフィカルな形態で示す。例は、長さ測定Ｌ０１〜Ｌ０５、直径測定Ｄ０１〜Ｄ０３および角度測定Ａ０１を示す。しかし、他の測定が可能である。直径測定Ｄ０３は、指定された公差間隔から外れており、好ましくは、異なる形式、例として、異なるフォント、カラーまたはサイズで表示され、直ちに認識可能にされている。
【００５４】
表示の下部分４２０は、測定されたデータを公称値、誤差、公差間隔および適合または不合格の表記と共に表形態で示す（図では、簡潔のため、直径のみを表す）。例では、測定Ｄ０３が指定公差から外れており、これは、不合格の表記およびグラフィカル表示４２２で指示されている。測定機械は、好ましくは、開口５９を有し、光のビームが主軸台保持部を横断して、校正体８０の寸法を測定することを許容する、主軸台保持部５０の内部に校正体８０を包含する。主軸台保持部５０がガイド４７上に懸架し、部分的に重なっていることから、往復台１００は、校正体８０と整列しつつ、主軸台５５を超えて移動することができる。校正手順は、好ましくは、処理ユニット２００の管理下で自動である。電源投入において校正プロセスを使用し、ＣＣＤ検出器と測定範囲内の点の勾配とを整列させる。校正体は、ステップ縁端からなる。この校正プロセスは、温度変化のための誤差を回避し、「日常校正」と称される。このプロセスは、例として、温度変化を検出し、新たな校正プロセスを始動する温度センサにより、要望されるだけ多くの場合に反復することができる。
【００５５】
本発明の変形態様では、各測定において校正体の測定を行うことができるが、これは、全面的な校正プロセスでの完全な測定よりも正確ではない。これを行うことは、測定間の温度変化を分析するために有効であり、標準的には、一つは、コンディショニング室を使用することにより、温度変化を制限するため、その測定を毎回行うことが要望されない。
【００５６】
光学表面上に堆積することができる塵埃および他の物質から光源１１０および光検出器１２０を保護するため、これらの要素は、往復台１００の動きおよびコリメート光のビームの通過を許容するため、ｘ軸に本質的に平行な主要軸を有する、二つの細長い窓３３を有する、定置ケーシング３０内に収容されている。柔軟性のあるテープ１０２および１０３をローラ１０５の周囲に二つのループ閉ループとして接続し、往復台１００で駆動する。テープ１０２および１０３は、細長い窓のうち、往復台１００に対応していない部分を閉じ、ケーシング３０内への塵埃および粒子の進入を制限する。
【００５７】
心押し台６０は、ガイド４７および光学ルール１５０を保護する、保護舌部６６も包含する。
【図１ａ】
2011232336.tif 000003
【図１ｂ】
2011232336.tif 000004
【図１ｃ】
2011232336.tif 000005
【図２】
2011232336.tif 000006
【図３】
2011232336.tif 000007
【図４】
2011232336.tif 000008
【図５】
2011232336.tif 000009
【図６】
2011232336.tif 000010
【図７】
2011232336.tif 000011
【外国語明細書】
1. Title of Invention
2011232336.tif 000012
2. Detailed Description of Invention
2011232336.tif 000013
2011232336.tif 000014
2011232336.tif 000015
2011232336.tif 000016
2011232336.tif 000017
2011232336.tif 000018
2011232336.tif 000019
2011232336.tif 000020
2011232336.tif 000021
2011232336.tif 000022
2011232336.tif 000023
2011232336.tif 000024
2011232336.tif 000025
2011232336.tif 000026
2011232336.tif 000027
2011232336.tif 000028
2011232336.tif 000029
1.Claims
2011232336.tif 000030
2011232336.tif 000031
2011232336.tif 000032
1. Abstract
2011232336.tif 000033
2. Representative Drawing
Fig.5
2011232336.tif 000034
2011232336.tif 000035
2011232336.tif 000036
2011232336.tif 000037
2011232336.tif 000038
2011232336.tif 000039
2011232336.tif 000040
2011232336.tif 000041